(57)【要約】      （修正有）【課題】必要でないときに容易に保管される容器を提供する。【解決手段】容器は、第１構成と第２構成との間で再構成可能であり、第１構成では、容器が、アイテムを受け入れるレセプタクルを定め、第２構成では、容器が、保管用の折り畳み構成を備える。容器は、底部２００と、底部２００の周りに延びるように配置される壁とを備え、壁は、少なくとも２つのヒンジ結合壁部３１０を備え、底部２００は、少なくとも１つの壁部３１０の下部領域にヒンジ結合され、壁は、その下部領域に沿って配置されるレッジ３６０をさらに備え、レッジ３６０は、容器の内側に延びるように配置され、容器が第１構成で構成されるときに、底部２００を支持する。【選択図】図５
2019181171.tif 000002
【特許請求の範囲】
【請求項１】
再構成可能な容器であって、前記容器は、第１構成と第２構成との間で再構成可能であり、第１構成では、前記容器が、アイテムを受け入れるレセプタクルを定め、第２構成では、前記容器が、保管用の折り畳み構成を備え、前記容器は、
底部と、底部の周りに延びるように配置される壁と、を備え、
前記壁は、少なくとも２つのヒンジ結合壁部を備え、
前記底部は、少なくとも１つの壁部の下部領域にヒンジ結合され、
前記壁は、その下部領域に沿って配置されるレッジをさらに備え、前記レッジは、前記容器の内側に延びるように配置され、前記容器が第１構成で構成されるときに、前記底部を支持する、再構成可能な容器。
【請求項２】
請求項１に記載の再構成可能な容器であって、第１壁部と第２壁部とは、その側縁に沿って共にヒンジ結合される、再構成可能な容器。
【請求項３】
請求項１に記載の再構成可能な容器であって、それぞれの壁部は、複数のヒンジによって相互接続された複数の壁セグメントを備え、前記ヒンジは、前記壁セグメントが各ヒンジ周りに互いに対して曲がることができるようにする、再構成可能な容器。
【請求項４】
請求項３に記載の再構成可能な容器であって、前記ヒンジは、たわみヒンジを備える、再構成可能な容器。
【請求項５】
請求項１に記載の再構成可能な容器であって、前記底部は、フレームと、フレーム上に延びる支持体と、を備える、再構成可能な容器。
【請求項６】
請求項５に記載の再構成可能な容器であって、周方向に延びるリップをさらに備え、前記リップは、前記支持体から延び、突出部を形成する、再構成可能な容器。
【請求項７】
請求項６に記載の再構成可能な容器であって、前記リップは、前記レッジと係合するように配置される、再構成可能な容器。
【請求項８】
請求項５に記載の再構成可能な容器であって、ヒンジ部をさらに備え、前記ヒンジ部は、その周縁の少なくとも部分に沿って配置され、少なくとも１つの壁部の下部領域に沿って配置された相補的な結合手段と、ヒンジ結合を形成する、再構成可能な容器。
【請求項９】
請求項８に記載の再構成可能な容器であって、凹部をさらに備え、前記凹部は、その周縁の部分に沿って形成され、ユーザーが前記容器を再構成するために前記底部を操作することができるようにする、再構成可能な容器。
【請求項１０】
請求項１に記載の再構成可能な容器であって、前記壁部に配置された複数の突起をさらに備え、前記突起は、前記壁の下部領域に近い、前記容器の内側に延び、第１構成で前記容器を維持するように前記底部を前記レッジに係止する、再構成可能な容器。
【請求項１１】
請求項１に記載の再構成可能な容器であって、前記底部は、第１および第２底部と、第１および第２直交軸と、を備え、前記第１および第２底部は、第１軸の両側に配置され、第１軸は、その周りで前記第１および第２底部が旋回することができるヒンジを定める、再構成可能な容器。
【請求項１２】
請求項１１に記載の再構成可能な容器であって、前記底部は、前記底部の第２軸の少なくとも両端を備える位置で前記壁の下部領域にヒンジ結合される、再構成可能な容器。
【請求項１３】
請求項１２に記載の再構成可能な容器であって、前記底部および少なくとも２つの壁部は、前記容器が第２構成にあるときに、ほぼ平行な平面に延び、ほぼ平らな構成を形成する、再構成可能な容器。
【請求項１４】
請求項２に記載の再構成可能な容器であって、第１壁部は、ロッドと、少なくとも１つのベアリングと、を備え、前記ロッドは、第１壁部の側縁に取り付けられ、前記ベアリングは、前記ロッドを受け入れ、第２壁部の側縁に取り付けられたベアリングで前記ロッドが回転可能になっている、再構成可能な容器。
【請求項１５】
請求項１４に記載の再構成可能な容器であって、前記少なくとも１つのベアリングは、前記ロッドが前記ベアリングにスナップ設置されることができるようにする開口を有する細長いＣ形チャネルを備える、再構成可能な容器。
【請求項１６】
請求項１５に記載の再構成可能な容器であって、前記壁が前記底部の周りに延びるように配置されるときに、前記開口が、前記再構成可能な容器の内側を向く、再構成可能な容器。
【請求項１７】
請求項１５に記載の再構成可能な容器であって、前記壁が前記底部の周りに延びるように配置されるときに、前記開口が、前記再構成可能な容器の外側を向く、再構成可能な容器。
【発明の詳細な説明】
【技術分野】
【０００１】
本発明は、再構成可能な容器に関する。
【背景技術】
【０００２】
容器は、様々な寸法および形状の形で提供され、様々な異なる用途で使用される。容器は、典型的にかなりの空間体積を占め、従って容器が必要でないときに、容器を共に積み重ねるなどの通常の保管技術が不可能であるところで、または収納場所が不足しているところで、容器を保管する代替方法を提供する明らかな必要がある。
【０００３】
そのような用途の一例は、家庭環境で洗濯物を運ぶことである。洗濯かごは、典型的に外観が良くなく、室内の床面積のかなりの面積を占めることがあり、室内では床面積は例えば希少であり得る。
【発明の概要】
【発明が解決しようとする課題】
【０００４】
従って、本発明の目的は、上記の問題の少なくともいくつかに対する、および必要でないときに容易に保管される容器を提供する、技術的解決策を提供することである。
【課題を解決するための手段】
【０００５】
本発明に従って、再構成可能な容器が提供され、容器は、第１構成と第２構成との間で再構成可能であり、第１構成では、容器が、アイテムを受け入れるレセプタクルを定め、第２構成では、容器が、保管用の折り畳み構成を備え、容器は、
底部と、底部の周りに延びるように配置される壁と、を備え、
壁は、少なくとも２つのヒンジ結合壁部を備え、
底部は、少なくとも１つの壁部の下部領域にヒンジ結合され、
壁は、その下部領域に沿って配置されるレッジをさらに備え、レッジは、容器の内側に延びるように配置され、容器が第１構成で構成されるときに、底部を支持する。
【０００６】
実施形態では、第１壁部と第２壁部とは、その側縁に沿って共にヒンジ結合される。
【０００７】
実施形態では、それぞれの壁部は、複数のヒンジによって相互接続された複数の壁セグメントを備え、複数のヒンジは、壁セグメントが各ヒンジ周りに互いに対して曲がることができるようにする。ヒンジは、たわみヒンジを備えてよく、たわみヒンジは、折り目、スコアライン、または例えば各壁部内の減少した厚さのラインによって、形成されてよい。
【０００８】
実施形態では、底部は、フレームと、フレーム上に延びる支持体と、を備える。底部は、周方向に延びるリップをさらに備え、リップは、支持体から延び、突出部を形成する。リップは、好ましくは、レッジと係合するように配置される。この点において、レッジとリップとは、協働し、底部が、容器の下部領域を通じて外へヒンジ結合周りに回転するのを防ぐ。
【０００９】
実施形態では、底部は、結合手段をさらに備え、結合手段は、その周縁の少なくとも部分に沿って配置され、少なくとも１つの壁部の下部領域に沿って配置された相補的な結合手段と、ヒンジ結合を形成する。
【００１０】
実施形態では、底部は、凹部をさらに備え、凹部は、その周縁の部分に沿って形成され、結合手段とほぼ反対であり、ユーザーが容器を再構成するために底部を操作することができるようにする。
【００１１】
実施形態では、壁は、係止手段をさらに備え、係止手段は、第１構成で容器を維持するように底部をレッジに係止する。係止手段は、壁部に配置された複数の突起を備えてよく、それは、壁の下部領域に近い、容器の内側に延び、第１構成で容器を維持するように底部をレッジに係止する。底部は、閾力が底部に加えられると、突起をスライドするように配置され、底部がヒンジ結合周りに回転することができるようにし、容器が第１構成と第２構成との間で再構成することができるようにする。
【００１２】
代替実施形態では、底部は、第１および第２底部と第１および第２直交軸とを備え、第１および第２底部は、第１軸の両側に配置され、第１軸は、その周りで第１および第２底部が
旋回することができるヒンジを定め、底部は、底部の第２軸の少なくとも両端を備える位置で壁の下部領域にヒンジ結合される。
【００１３】
実施形態では、底部は、複数の離散位置で壁に結合される。実施形態では、壁セグメントのそれぞれは、底部に別々にヒンジ結合される。
【００１４】
実施形態では、第１軸は長軸を備え、第２軸は短軸を備える。好ましくは、底部は、楕円形状で構成される。
【００１５】
実施形態では、底部および少なくとも２つの壁部は、容器が第２構成にあるときに、ほぼ平行な平面に延び、ほぼ平らな構成を形成する。
【００１６】
実施形態では、底部は、容器が第１構成で構成されるときに、少なくとも２つの壁部にほぼ直交して延びる。代替実施形態では、容器が第１構成で構成されるときに、少なくとも２つの壁部は、底部から離れる方向に互いに対して発散する。
【００１７】
実施形態では、壁および底部は、プラスチック材料で作られ、壁は、複数の開口を備える。
【００１８】
発明は上述されたが、それは、上記のまたは以下の説明の特徴のあらゆる発明的組み合わせにまで及ぶ。発明の例示的実施形態は、添付図面を参照して本明細書に詳細に記載されたが、発明はこれらの性格な実施形態に限定されないことが、理解されるべきである。
【００１９】
さらに、個々にまたは実施形態の一部として記載された特定の特徴は、他の特徴および実施形態が特定の特徴に言及しないとしても、他の個々に記載された特徴、または他の実施形
態の一部と組み合わせられることができると、考えられる。従って、発明は、まだ記載されていないそのような特定の組み合わせにまで及ぶ。
【００２０】
発明は、様々な方法で実施されてよく、添付図面を参照して、その実施形態がこれから記載される。
【図面の簡単な説明】
【００２１】
【図１】図１ａは、第１構成で配置された、本発明の実施形態による再構成可能な容器の透視図であり、図１ｂは、第２構成で配置された、本発明の実施形態による再構成可能な容器の透視図である。
【図２】図１ａに示される容器の前面図である。
【図３】図１ａに示される容器の側面図である。
【図４】図１ａに示される容器の平面図である。
【図５】図１ａに示される容器の図であり、１つの壁部が取り外され、底部がヒンジ結合周りに部分的に回転している。
【図６】図６ａは、容器の第１実施形態の底部の支持体（上）の透視図であり、図６ｂは、容器の第１実施形態の底部のフレーム（下）の透視図である。
【図７】線Ａ−Ａに沿った、図２に示される容器の壁部を通る断面図である。
【図８】図１ａに示される容器を通る断面図であり、底部が部分的に回転し、ヒンジ結合を示している。
【図９Ａ】結合手段を示す第１および第２壁部の側縁の透視図である。
【図９Ｂ】結合手段の変形を示す第１および第２壁部の側縁の透視図である。
【図１０】底部をレッジに係止する係止手段を示す、底部に近接する、図１ａに示される容器の内側部分の拡大図である。
【発明を実施するための形態】
【００２２】
図面の図１ａ−４に関し、発明の実施形態に従って、再構成可能な洗濯物容器１００などの、再構成可能な容器１００が示される。容器１００は、容器１００が、アイテムを受け入れるレセプタクルを定める第１構成（図１ａに示される）と、容器１００が、保管用のほぼ平らな構成で配置される第２構成（図１ｂに示される）と、の間で再構成可能である。
【００２３】
容器１００は、底部２００（図面の図５、図６ａおよび図６ｂ参照）と、底部２００の周りに延びる壁３００とを備える。底部２００および壁３００は、ポリプロピレンまたはポリエチレンなどのプラスチック材料で作られてよく、第１構成では、底部２００は、壁３００の下部領域に配置され、壁２００は、底部２００の周縁２３１から離れるように上方に延びる。例示の実施形態では、壁３００は、２つの壁部３１０を備え、２つの壁部３１０は、壁３００の対向する半部を別々に形成する。壁部３１０は、その側端縁３１１に沿って結合手段３２０によって共にヒンジ結合され、結合手段３２０は、壁部が互いに対して旋回することを可能にする。図面の図９Ａに関し、結合手段３２０は、１つの壁部３１０の１つの側端縁３１１に沿って配置された細長いＣ形チャネル３２１と、対向する側縁３１１に沿って配置されたロッド３２２または類似形状構成を、備えてよい。１つの壁部３１０の１つの側縁３１１に配置されたロッド構成３２２は、隣り合う壁部３１０の側縁３１１に沿って配置されたＣ形チャネル３２１内にスナップ設置するように配置され、壁部３１０が共に結合するとき、出来上がった壁３００が底部２００を取り囲むようになっている。
【００２４】
図９Ａでは、Ｃ形チャネル３２１の開口が示され、壁３００および容器１００の内側を向いており、Ｃ形チャネル３２１の開口を通じて、ロッド構成３２２がロッド構成をＣ形チャネルにスナップ設置するように押し付けられる。図９Ｂに概略的に示される実施形態では、Ｃ形チャネル３２１は、１つの側端縁３１１に沿って配置され、それらのそれぞれの開口が、壁３００および容器１００の内側にではなく外側に向くようになっている。任意で、それぞれのＣ形チャネル３２１は、少なくとも１つのスナップフィン３２１−１を備え、スナップフィン３２１−１は、ロッド３２２がＣ形チャネルにスナップ設置するように押し付けられた後で、Ｃ形チャネルにあるロッド３２２を固定する働きをする。
【００２５】
それぞれの壁部３１０は、複数の相互接続壁セグメント３３０をさらに備え、それぞれのセグメントが、壁の下縁を共同で形成する近位縁３３１と、レセプタクルの開口縁を共同で形成する遠位縁３３２と、近位縁３３１と遠位縁３３２との間に延びる対向する側縁と、をさらに備える。側縁３３３は、互いにほぼ平行に別々に延び、セグメント３３０は、たわみヒンジなどの各ヒンジ３４０を介して対向する側縁３３３に沿って共に結合する。それぞれのヒンジは、壁部内の折り目として、または壁部内のスコアラインとして、または単に例えば壁セグメント３１３が互いに対して曲がることができる減少した壁厚のラインとして、実現されてよい。
【００２６】
壁セグメント３３０は、ほぼ長方形の形状を備え、それぞれのセグメント３３０の下部３３４は、連続した中実部分を備え、一方、それぞれのセグメント３３０の上部３３５は、複数の開口３３６を備える。この点において、セグメント３３０の中実部分は、協働し、底部２００に近い壁の周りに延びる中実壁バンドを形成する。同様に、開口部３３６は、協働し、使用時に、壁バンドの上に配置される壁３００の開口部を形成する。壁セグメントの少なくとも２つは、ハンドル３５０をさらに備え、ハンドル３５０は、その上部領域に近接して配置され、ユーザーが容器１００を持って運ぶことができるようにする。ハンドル３５０を備える少なくとも２つの壁セグメント３３０は、壁３００の周りで正反対であり、容器の重量がハンドル３５０の両側で均一に分配されるようになっていることが、想定される。
【００２７】
発明の第１実施形態の、図面の図５、図６ａおよび図６ｂに関し、底部２００は、ほぼ平面の底部フレーム２２０の上に配置されるほぼ平面の支持部材２１０を備える。フレーム２２０は、支持部材２１０の下側に配置される複数の相互接続支柱２２１（図５および図６ｂ）を備える。支柱２２１は、周方向に延びるフレーム境界２２２の間に延び、底部２００は、周方向に延びるリップ２３０をさらに備え、リップ２３０は、支持部材２１０から外側へ延び、フレーム境界２２２上に突出部を形成する。
【００２８】
底部支持部材２１０およびフレーム２２０は、当業者は他の形状も使用されてよいことを認識するが、長軸および短軸などの、直交する第１軸２４０および第２軸２５０を有する、ほぼ楕円形の形状を備える。底部２００は、その周縁２３１の部分に沿って配置された結合手段２６０をさらに備え、それは、その一端で第２軸２５０の両側に等しく延びる。結合手段２６０は、一体型ロッド構成２６１を備え、それは、周縁に沿って延び、壁部３１０の１つ（すなわち、図面の図７および図８に示される、壁部３１０の中央壁セグメント３３０）の下部領域に沿って形成されたＣ形チャネル２６２内にスナップ設置するように配置される。Ｃ形チャネル２６２は、結合手段２６０の一部を形成し、ロッド構成２６１の形状および寸法を補完するように形作られる。結合手段２６０は、底部２００が壁部３１０に対して旋回することを可能にし、容器１００が第１構成と第２構成との間で再構成することができるようになっており、この構成を容易にすることにおいて、底部２００は、ハンドル２７０をさらに備える。ハンドル２７０は、結合手段２６０と反対側の底部の側部に配置され、底部支持体２１０内に形成された凹部２７１を備える。凹部２７１は、ユーザーが、指を凹部２７１内に置くことによって底部２００を持ち上げることができるようにし、底部２００のリップ２３０の下側を係合させる。
【００２９】
壁３００は、その内面に沿って形成されたレッジ３６０をさらに備え、それは、壁３００の周りに壁３００の内側へ延びる。レッジ３６０は、壁３００の下部領域に沿って形成され、底部２００に形成されたリップ２３０と係合するように配置され、底部２００が壁部３１０間から下方に回転するのを防ぐ。レッジ３６０は、ストッパとしての機能を果たし、底部２００がレッジ３６０、底部フレーム２２０および支持体２１０の上に位置するとき、壁セグメント３３０間の屈曲を最小限に抑え、壁部３１０の旋回も最小限に抑え、従ってレセプタクルの形状を維持する。図面の図１０に関し、壁セグメント３３０は、係止手段をさらに備え、係止手段は、示されている実施形態では、複数の突起３７０を備え、突起３７０
は、その下部領域に沿って配置され、容器の内側に延びる。突起３７０は、高くなった台座領域３７３のいずれかの側で、底部２００の動きに対する、前傾斜面３７１および後傾斜面３７２を別々に備え、底部リップ２３０の周縁２３１が、傾斜面３７１，３７２に係合しなければならないようになっており、底部２００が台座３７３を乗り越えるために、壁部３１０をリップ２３０から離れさせるようになっている。突起３７０は、従って、底部２００をレッジ３６０に係止するように働き、レッジ３６０から離れる底部２００の不測の動きを最小限に抑える。
【００３０】
第１構成では、底部２００は、壁３００にほぼ垂直である平面に延びるように配置される。しかしながら、代替実施形態では、周方向に延びる壁３００が、底部２００から離れる方向で発散することができ、容器１００の開口縁が底部２００よりも大きい断面積を備えるようになっていることが、想定される。使用中、容器１００を第１構成から第２構成に再構成するために、ユーザーは、指を凹部２７１内に置き、底部２００のリップ２３０の下側を係合させる。この点において、ユーザーは、突起３７０によって与えられる抵抗を克服するために少なくとも閾力で持ち上げる必要があることは、明らかである。ユーザーが底部２００を持ち上げるにつれて、底部２００は、結合手段２６０周りに旋回し、底部２００が連結される壁部３１０とほぼ平行に延びるように、再構成されることができる。底部が再構成されて、隣り合う壁部３１０は、その側縁に沿う連結のため底部２００に倒れることができ、両方の壁部３１０および底部２００がほぼ平行な平面に延び、従って、ほぼ平らな、第２構成を形成するようになっている。
【００３１】
容器を第１構成に再構成するために、ユーザーは、続いて壁部３１０の分離を促し、同時に、壁部３１０間で底部２００を押し、従って、底部２００を結合手段２６０周りに回転させる。ユーザーは、底部２００の回転を続け、その際に、リップ２３０は、壁部３１０の内面と係合し、それらを分離させ、第１構成の形状をとる。しかしながら、底部がレッジ３６０に近づく際に、ユーザーは、同様に、突起３７０によって与えられる抵抗を克服するために必要である少なくとも閾力で押し付ける必要がある。
【００３２】
示されていない、発明の第２実施形態では、底部２００は、容器１００が第１構成と第２構成との間で再構成する際に、第１軸２４０周りで折られるように配置される。第２実施形
態の容器１００のさらなる特徴は、第１実施形態とほぼ同じであり、従って同様の特徴は、以下の説明で同じ符号で参照される。
【００３３】
第２実施形態の容器１００の底部２００の第１軸２４０は、底部２００の対称軸を定め、底部２００を第１底部と第２底部とに分け、第１底部と第２底部は第１軸２４０の反対側で延びる。第１底部と第２底部とは、第１軸２４０に沿ってヒンジ結合され、この結合は、底部支持体２１０に形成されたスコアライン、または例えば第１軸２４０に沿って延びるヒンジによって、形成されてよい。この実施形態では、底部フレーム２２０は、第１軸２４０の両側で２つの分離セクション（図示せず）を備え、底部を折ることを可能にすることも、明らかである。底部２００は、複数の離散結合領域で壁３００にヒンジ結合される。特に、底部２００の第２軸２５０の対向する端部に位置する少なくとも壁セグメント３３０（すなわち、壁部３１０の中央壁セグメント３３０’）の近位領域は、第１実施形態に関して上記されたのと同様の仕方で底部２００の周縁に連結される。第２実施形態の底部２００は、従って、第１実施形態の底部２００のハンドル２７０の位置でさらなる連結手段を備える。
【００３４】
第１構成から第２構成に容器１００を再構成するために、ユーザーは、底部２００の下側を押し、底部を、レセプタクルの内側にそらせ、突起３７０を通過させ、第１軸２４０周りに折り重ねる。底部を第１軸２４０周りにレセプタクルの内側に折るにつれて、壁３００および特に第２軸２５０の対向する側に配置される壁セグメント３００は、互いに近づく。底部２００の周辺領域が、第１軸２４０の両側で、互いに近づくからである。底部２００が折り曲がり続けるので、第１底部と第２底部の下側は、最終的にそれぞれ接触する。容器１００が第２構成をとるからである。この第２構成で構成されるときに、第１および第２の底部、および底部の両側に配置される壁セグメント３００は、ほぼ平行な平面に延び、このようにしてほぼ平らな構成を形成し、それは、第１構成よりも少ない空間を占め、従って都合良く保管することができる。
【００３５】
第２実施形態の容器を第１構成に再構成するために、ユーザーは、第１軸２４０に近い、底部２００を押し、底部２００を、壁セグメント３３０に関して容器の下部領域に向かう方向に動かす。底部間の折った部分が壁セグメント３３０間の容器の内側を動くにつれて、第２軸２５０の両側の底部２００の周辺領域は、互いから遠ざかる。底部２００がより平らな
構成をとるからである。この構成の間も、壁セグメント３３０は、曲がり、互いに対して回転する。各セグメントの近位端が底部２００の周縁に従うからである。底部２００が第１構成に再構成する際に、ユーザーは、底部２００が壁３００のレッジ３６０に位置し、平らな構成をとるために、突起３７０によって与えられる抵抗を克服するために必要である少なくとも閾力で底部２００を押し付ける必要がある。
【００３６】
従って、上記の内容から、本発明はより万能でコンパクトな容器を提供することが、明らかである。
【図１】
2019181171.tif 000003
【図２】
2019181171.tif 000004
【図３】
2019181171.tif 000005
【図４】
2019181171.tif 000006
【図５】
2019181171.tif 000007
【図６】
2019181171.tif 000008
【図７】
2019181171.tif 000009
【図８】
2019181171.tif 000010
【図９Ａ】
2019181171.tif 000011
【図９Ｂ】
2019181171.tif 000012
【図１０】
2019181171.tif 000013
【外国語明細書】
2019181171000001.pdf